(57)【特許請求の範囲】
【請求項１】
頂部にフックを備える山形状のハンガー本体と、この本体下方位置に配置する横架材と、この横架材に取り付けられたクリップとを備える衣服ハンガーにおいて、前記クリップは、一対の挟持部材の中間支点部に横架材を挿通する連結片を介在し、この連結片に対して一対の挟持部材は横架材方向に揺動可能な形状で連結すると共に、先端挟持部には前記横架材を収容し得る溝を形成し、一対の挟持部材の外面に両端部を係止して挟持力を付与する弾性部材には中央部に前記横架材断面を収容し得る曲り部を形成することを特徴とする衣服ハンガー。
【請求項２】
前記連結片は、横架材を挿通する板体と、この板体の両面中心に形成する一対の凸部を備え、前記挟持部材には、この凸部を遊動可能に収容する凹部を形成することを特徴とする請求項1記載の衣服ハンガー。
【発明の詳細な説明】
【技術分野】
【０００１】
本発明は、ハンガー本体下部の横架材にクリップを取り付け、ズボンやスカート等を挟持し得る衣服ハンガーに関し、特に洗濯物の干し具としても好適な衣服ハンガーに関するものである。
【背景技術】
【０００２】
従来、横架材にクリップを備える衣服ハンガーは、主に上着とズボンあるいはスカート等を同時に保持しながら洋服ダンスなどに掛止するものであった。
【０００３】
このような衣服ハンガーの従来技術としては、例えば以下の文献に記載されているものがあった。
【特許文献１】特開２００５−１０３１６８号公報
【特許文献２】特開２００４−２３０１２１号公報特許文献１に記載される従来の衣服ハンガーにおけるクリップは、横架材に対して下向きに取り付けられており、左右にスライドさせながらその間隔を調整しズボン、スカート等を挟み吊り下げる構成であった。
【０００４】
又特許文献２に記載される衣服ハンガーのクリップは、横架材より垂下する棒体に対して横向きに取り付けられており、横架材で折り返し掛けしたズボン、スカート等の両側を横方向から挟んで固定する構成であった。
【０００５】
しかし、これら従来の衣服ハンガーはズボン等を重ねた状態で保持することを目的としていたため、洗濯物を乾かす用途に使用する際にはあまり有効ではなかった。特に、作業用ズボン等を干す際には、できるだけ内空を保持した状態で掛止することが望ましいので、山形状のハンガー本体にズボンの上部内側を被い掛けることになるが、衣服自重や風等の影響でずり落ちないように止めなければならない。
【０００６】
ところが、従来の衣服ハンガーに備えるクリップは下向きあるいは内側横向きとなっていたため、ハンガー本体の端部側に被い掛けられた衣服は挟持できなかった。このため、別途大型のクリップ等を用いて衣服をハンガーに固定しなければならなかった。
【０００７】
ズボン等水分を含むと重くなる洗濯物を乾かすための干し具としては例えば以下の文献に記載されるようなハンガーが提案されていた。
【特許文献３】特開２００７−０００３０６号公報
【特許文献４】特開２００５−１８５２９８号公報
【特許文献５】特開２０００−０１４９９３号公報
【０００８】
ここで特許文献３に記載される物干しハンガーは、環状のフレームからクリップを複数吊り下げる構成であり、特許文献４に記載されるズボン乾燥用ハンガーは、ハンガー本体のフックにベルト穴吊下用の係止部材を装着する構成であり、特許文献５記載のハンガーは、横架材に複数個の天秤状吊具を取り付け，この吊具にクリップを吊り下げる構成であった。
【発明の開示】
【発明が解決しようとする課題】
【０００９】
このように、ズボン等を干すためのハンガーは洗濯物を筒状に保持するためのクリップや係止部材は備えていたが、これらは干し具専用としての構成であるため、上着とズボンあるいはスカート等を同時に保持しながら洋服ダンスなどに整列して掛止する一般的な衣服ハンガーとしては使用できなかった。
【００１０】
この発明は、上記課題を解決し、洋服ダンスなどに掛止する一般的な衣服ハンガーとしても使用できると共に、ズボン等の筒状重量洗濯物を干す場合には、洗濯物ずり落ち防止用クリップ等を別途用意しなくとも、干し具として有効に機能する衣服ハンガーを提供することを目的としている。
【課題を解決するための手段】
【００１１】
上記課題を解決するため、この発明の衣服ハンガーは、頂部にフックを備える山形状のハンガー本体と、この本体下方位置に配置する横架材と、この横架材に取り付けられたクリップとを備える衣服ハンガーにおいて、前記クリップは、一対の挟持部材の中間支点部に横架材を挿通する連結片を介在し、この連結片に対して一対の挟持部材は横架材方向に揺動可能な形状で連結すると共に、先端挟持部には前記横架材を収容し得る溝を形成し、一対の挟持部材の外面に両端部を係止して挟持力を付与する弾性部材には中央部に前記横架材断面を収容し得る曲り部を形成することを特徴とするものである。
【００１２】
クリップの数は任意であるが、衣服を適確に保持するため２個以上設けることが望ましい。連結片は横架材に対してスライド可能とすることが望ましく、この場合横架材の適宜箇所にストッパを設け、連結片の設置位置を調整できるようにしてもよい。連結片は横架材を挿通し、かつ挟持部材の支点として機能し、更に挟持部材が横架材方向に揺動し得る構造を確保できれば、その形状は任意である。
【００１３】
クリップの先端挟持部が下方にある場合、連結片を中心にして挟持部材を回動しながら弾性部材の弾性力に抗して先端挟持部を開放すると、クリップは横架材と同一方向に向きを変え、横架材とともに衣服等を挟持できるようになる。
【００１４】
クリップの揺動は左右何れの方向でも可能であるが、弾性部材の曲り部が横架材断面を収容する方向のみ横架材と平行になりうる。先端挟持部が横架材の端部方向を向いた状態、即ち外方向に向いて衣服を挟持する構成が望ましい。
【００１５】
請求項２記載の衣服ハンガーにおける連結片は、横架材を挿通する板体と、この板体の両面中心に形成する一対の凸部を備え、前記挟持部材には、この凸部を遊動可能に収容する凹部を形成することを特徴とするものである。
【００１６】
板体の凸部と挟持部材に形成する凹部は、挟持部材の開閉を妨げないと同時に横架材に対して揺動自在となるよう当接する。当接面は球面状でもよいし、遊動可能であれば円筒状でもよい。
【発明の効果】
【００１７】
この発明の衣服ハンガーは、横架材方向に揺動可能なクリップを備え、その先端挟持部には溝を、弾性部材には曲り部を形成するので横架材と同一方向に向きを変えることができ、横方向から衣服等を挟持できる。特にクリップの挟持方向を外方にすると、ハンガー本体の端部側に被い掛けられた衣服を挟持できるのでズボン等の筒状重量洗濯物を干す場合、洗濯物ずり落ち防止用クリップ等を別途用意しなくとも適確に固定できる。
【００１８】
又先端挟持部を下方に戻せば上着とズボンあるいはスカート等を同時に保持しながら洋服ダンスなどに掛止すれば一般的な衣服ハンガーとして使用できる。
【００１９】
請求項２記載の衣服ハンガーは、横架材を挿通する連結片の板体両面中心に凸部を形成し、挟持部材に形成する凹部と遊動可能に接続するので、簡易な構成で、挟持部材の支点として機能すると共に挟持部材を横架材方向に揺動することができる。
【発明を実施するための最良の形態】
【００２０】
次にこの発明の実施の形態を添付図面に基づき詳細に説明する。図１は衣服ハンガーの正面図である。衣服ハンガー１は、頂部にフック２を備える山形状のハンガー本体３と、この本体３の下方位置に配置する横架材４と、この横架材４に取り付けられた一対のクリップ５，５を備える。
【００２１】
このクリップの詳細を図２乃至図５に基づき説明する。図２は図１のａ部におけるクリップの拡大正面図、図３は同右側面図、図４は同平面図、図５はクリップの部材構成を示す分解斜視図である。クリップ５は、一対の挟持部材６，６の対向する中間支点部に連結片７を介在し、この連結片７の上方に架け渡される弾性部材８によって先端挟持部６ａ，６ａ同士が常時当接する方向に付勢されている。
【００２２】
図５に示すように連結片７は、円板７ａの両面中心に一対の柱体７ｂ，７ｂを突設する。円板７ａはスライド可能な状態で横架材４を挿通するが、横架材４に設けられたストッパ４ａにてクリップ５の設置位置を制御する。
【００２３】
一方挟持部材６には、中間支点部に柱体７ｂを収容するための凹部６ｂを形成する。凹部６ｂは柱体７ｂを遊動可能な状態で収容し、挟持部材６の把持部６ｃをもって先端挟持部６ａを開放する際、支点として開閉を妨げないと同時に横架材４に対して揺動する際も、その動きを妨げない形状とする。
【００２４】
先端挟持部６ａの内面には横架材４を収容し得る溝６ｄを設け、挟持部材６の外面には弾性部材８を嵌着する縦溝６ｅを形成し、上部には弾性部材８を遊挿する孔部６ｆが穿設されている。又、弾性部材８はその中央部に横架材４の断面を収容し得る曲り部８ａを形成する。
【００２５】
図６にクリップにて横架材を挟持する状態の斜視図を示す。図２に示すようにクリップ５の先端挟持部６ａが下方にある位置から、矢印方向に把持部６ｃを回動すると、ストッパ４ａの作用により連結片７の移動が阻止されるため、ストッパ４ａが取り付けられた方向への挟持部材６の揺動が容易になる。
【００２６】
これにより先端挟持部６ａ及び把持部６ｃは夫々連結片７を中心にして回動し、横架材４方向に接近する。この後把持部６ｃを弾性部材８の弾性力に抗して押圧し先端挟持部６ａを開放して横架材４を挟み込む。溝６ｄに横架材４を収容すると同時に弾性部材８の曲り部８ａを横架材４に架けると、クリップ５は横架材４と同一方向に向きを変える。
【００２７】
図７に衣服ハンガーを用いてズボンを乾す状態を示す。作業用ズボン９を干す際には、山形状のハンガー本体３の背面より、ズボン９の上部内側を被い掛け、垂れ下がるズボン前面を横方向に回動したクリップ５にて挟持する。
【００２８】
この衣服ハンガー１を干し具として利用する場合、ズボン状の衣服のみならず、ランニングやシャツ等の衣服も回動したクリップ５にて有効に掛止でき、衣服自重や風等の影響でずり落ちる事を防止できる。
【００２９】
又本実施形態では連結片７となる円板７ａの側に凸部を設ける一方挟持部材６側にこれを収容する凹部を形成しているが、挟持部材の支点として機能し、かつ横架材方向に揺動し得る構造を確保できれば、連結片側に凹部を形成し挟持部材側に凸部を設ける形状でもよい。
【図面の簡単な説明】
【００３０】
【図１】衣服ハンガーの正面図である。
【図２】図１のａ部におけるクリップの拡大正面図である。
【図３】図１のａ部におけるクリップの拡大右側面図である。
【図４】図１のａ部におけるクリップの拡大平面図である。
【図５】クリップの部材構成を示す分解斜視図である。
【図６】クリップにて横架材を挟持する状態を示す斜視図である。
【図７】衣服ハンガーを用いてズボンを乾す状態を示す正面図である。
【符号の説明】
【００３１】
１  衣服ハンガー
２  フック
３  ハンガー本体
４  横架材
５  クリップ
６  挟持部材
６ａ  先端挟持部
６ｂ  凹部
６ｄ  溝
７  連結片
７ａ  円板
７ｂ  柱体
８  弾性部材
８ａ  曲り部
【図１】
0004768772.tif 000002
【図２】
0004768772.tif 000003
【図３】
0004768772.tif 000004
【図４】
0004768772.tif 000005
【図５】
0004768772.tif 000006
【図６】
0004768772.tif 000007
【図７】
0004768772.tif 000008